(57)【要約】【課題】半導体層と光触媒用酸化チタン層とを積層し、半導体層の有する経皮治療効果と併せて滅菌、脱臭、清浄作用にも効果の得られる技術をヘッドバンド、足温器等に利用した経皮治療用器具を提供する。【解決手段】経皮治療部材層２，３，４は布地等の伸縮性の支持部材の面に設け、この支持部材をヘッドバンドとした場合、配置部位は、経絡の太陽、攅竹、陽白、風府のいずれか又は前記四者の中の複数の組み合わせとする。経皮治療部材層を構成する半導体層は、インク、塗料、接着剤等の素材に半導体のパウダーを混入させ、Ｐ型、又はＮ型、又は両者の積層型、あるいはＰ型とＮ型とを混合させたものを用いる。経皮治療部材層には脱臭（防臭）部材層を付加してもよい。これは光触媒用酸化チタンの微粒子をインク、塗料、接着剤等の素材に混入させ半導体層に積層する。反射膜を併用して効果を増大することもできる。半導体層は筋肉を活性化し、血流を増加して鬱血を解消する。脱臭、防臭部材層は滅菌、脱臭、清浄作用に効果を発揮する。【選択図】図１
2004081775.tif 000002
【特許請求の範囲】
【請求項１】
Ｐ型又はＮ型又は前記両者を混合した半導体層、あるいはＰ型とＮ型の各半導体層を積層した半導体層と、前記半導体層の作用を反射させる金属微粒子による反射部材層とを積層し、人体の頭部に装着するヘッドバンドの頭部当接面あるいは反対面に配置したことを特徴とする経皮治療用器具。
【請求項２】
Ｐ型又はＮ型又は前記両者を混合した半導体層、あるいはＰ型とＮ型の各半導体層を積層した半導体層と、前記半導体層の作用面に光触媒用酸化チタン等の脱臭部材層を被着積層し、さらに前記半導体層の作用を反射させる金属微粒子による反射部材層を積層し、人体の頭部に装着するヘッドバンドの頭部当接面あるいは反対面に配置したことを特徴とする経皮治療用器具。
【請求項３】
積層部材のヘッドバンドに対する配置部位は、人体の前頭部位又は側頭部位又は後頭部位あるいは前記三者の中の複数の組合せである事を特徴とする請求項１、２に記載の経皮治療用器具。
【請求項４】
積層部材のヘッドバンドに対する配置部位は、経絡の太陽、攅竹、陽白、風府のいずれか又は前記四者の中の複数の組合せとする事を特徴とする請求項１，２に記載の経皮治療用器具。
【請求項５】
Ｐ型又はＮ型又は両者を混合した半導体層と、あるいはＰ型とＮ型の各半導体層を積層した半導体層と、前記半導体層の作用を反射させる金属微粒子による反射部材層とを積層して、足載せ台の足部当接面あるいは前記当接面の裏面に配置したことを特徴とする経　皮治療用器具。
【請求項６】
Ｐ型又はＮ型又は両者を混合した半導体層と、あるいはＰ型とＮ型の各半導体層を積層した半導体層と、前記半導体層の作用面に光触媒用酸化チタン等の脱臭部材層を被着積層し、さらに前記半導体層の作用を反射させる金属微粒子による反射部材層を積層して、足載せ台の足部当接面あるいは前記当接面の裏面に配置したことを特徴とする経皮治療用器具。
【請求項７】
足載せ台の足を当接させる面は、カマボコ型に彎曲していることを特徴とする請求項５，６に記載の経皮治療用器具。
【請求項８】
足載せ台の足を当接させる面は、つま先側を高くした傾斜面である事を特徴をする請求項５，６に記載の経皮治療用器具。
【請求項９】
足載せ台の足を当接させる面は、円筒面である事を特徴とする請求項５，６に記載の経皮治療用器具。
【請求項１０】
足載せ台には熱源を設け、足温器としたものである事を特徴とする請求項５から９に記載の経皮治療用器具。
【発明の詳細な説明】
【０００１】
【発明の属する技術分野】
本発明は、経皮治療用器具に関し、特に半導体層等を用いて治療効果を発揮する経皮治療技術を、ヘッドバンド等に利用したものに関する。
【０００２】
【従来の技術】
従来、経皮吸収治療は打ち身、捻挫、こり等に対してパック剤が使用され、これには経皮吸収薬剤としてメントール、カンフル、ハッカ油、チモール等が用いられ、又、痛み止めとしてインドメタシン、フェルビナク等が経皮吸収薬剤として使用される他、心臓発作を抑えるため、虚血性心疾患治療剤硝酸薬である経皮吸収薬剤のニトログリセリン製剤や硝酸イソソルビト製剤をシートに貼付したものや、経皮吸収クリーム等の形で市販されている。
【０００３】
しかし、これらの方法は一時的に痛みを抑えたり、心臓発作を一時的に回避するだけであって、根本的な治療とはなっていない場合が多くその解決策として半導体膜を用いる方法があり、この方法によれば根本的な治療効果を期待する事が出来、狭心症や不整脈の患者が治癒したり、腰痛が完全に治った例が多い。
【０００４】
半導体膜、特に半導体膜付きセラミックスやＮ型半導体とＰ型半導体の複合膜は筋肉を活性化し、血流を増加して鬱血を解消する効果が有る。
【０００５】
半導体の治療効果は、東方医学第１３巻第３号Ｐ１７〜２５（１９９７）に記載されているように、血流を一時的に増加して乳酸等の痛み物質を流し去り、自律神経機能を高め、筋肉の緊張を和らげる作用がある。
一般的に経皮治療が行われる筋肉の腫れ、捻挫、打ち身、こり等皮膚内部の筋肉組織の損傷は鬱血によることが多く、半導体膜の貼付によって血流が増加し腫れがひく作用がある。このような半導体膜の貼付による効果は、患部の根本的な治療が期待できるものである。
【０００６】
【発明が解決しようとする課題】
このような根本的な治療効果を期待するための半導体膜を用いる治療用器具として本出願の出願人は多用な形態の治療用器具を先に出願しているが、これらの半導体膜を用いる治療用器具は、主として治療や健康増進を目的としたものであり、頭脳のパワーをアップしたり、集中力を向上させたりするものでは無かった。本発明は従来の半導体膜による治療効果、健康増進効果と併せて、学習意欲や集中力の向上効果が得られる、経皮治療用器具を提供することを目的としている。
【０００７】
【課題を解決するための手段】
上記課題を解決するために本発明は、半導体粒子を層膜状とし、この層に、この半導体層の作用を人体側へ反射させる金属微粒子による反射部材層を積層し、人体の頭部に装着するヘッドバンドの頭部当接部位に配置する。これにより、学習、意欲、思考等の頭部部位を刺激し、集中力向上の作用が得られる。
【０００８】
また、上記課題を解決するために本発明は、半導体粒子を層膜状とし、この層に、この半導体層の作用を人体側へ反射させる金属微粒子による反射部材層を積層、さらに光触媒用酸化チタン等の脱臭部材層を積層して、人体の頭部に装着するヘッドバンドの頭部当接部位に配置する。これにより、学習、意欲、思考等の頭部部位を刺激し、集中力向上の作用が得られるとともに脱臭、滅菌等の作用も得ることができる。
【０００９】
半導体層などの積層部材のヘッドバンドに対する配置部位は、人体の前頭部位又は後頭部意又は側頭部位あるいは前記三者の中の複数の組み合わせとし、望ましくは経絡の太陽、攅竹、陽白、風府のいずれか又は前記四者の中の複数の組み合わせとする。これにより、効率のよい作用を得るものとなる。
【００１０】
また、上記課題を解決するために本発明は、半導体粒子を層膜状とし、この層の作用を人体側へ反射させる金属微粒子による反射部材層とを積層して、足載せ台の足部当接部位に配置する。これにより、人体の足部の筋肉を活性化し、血流を増加して鬱血を解消する作用を得ることが出来る。
【００１１】
また、上記課題を解決するために本発明は、半導体粒子を層膜状とし、この層の作用を人体側へ反射させる金属微粒子による反射部材層を積層、さらに光触媒用酸化チタンなどの脱臭部材層を積層して、足載せ台の足部当接部位に配置する。これにより、人体の足部の筋肉を活性化し、血流を増加して鬱血を解消する作用と併せて脱臭、滅菌などの作用も得ることができる。
【００１２】
足載せ台の足を当接させる面は、かまぼこ型に彎曲させるか、つま先側を高くした傾斜面とするか、あるいは円筒面とする。これにより効率のよい作用を得ることができる。また、足載せ台には熱源を設け、いわゆる足温器とすれば、冬季の足の冷えを解消するとともに半導体の作用も活発となり、さらに効率のよい作用を得ることができる。
【００１３】
【発明の実施の形態】
本発明の請求項１に記載の発明は、Ｐ型又はＮ型または前記両者を混合した半導体層、あるいはＰ型とＮ型の各半導体層を積層した半導体層と、前記半導体層の作用を反射させる金属微粒子による反射部材層とを積層し、人体の頭部に装着するヘッドバンドの頭部当接面あるいは反対面に配置したことを特徴とする経皮治療用器具であり、人体の頭部部位を刺激し、集中力向上等の作用を有する。
【００１４】
本発明の請求項２に記載の発明は、Ｐ型又はＮ型または前記両者を混合した半導体層、あるいはＰ型とＮ型の各半導体層を積層した半導体層と、前記半導体層の作用面に光触媒用酸化チタンなどの脱臭部材層を被着積層し、さらに前記半導体層の作用を反射させる金属微粒子による反射部材層を積層し、人体の頭部に装着するヘッドバンドの頭部当接面あるいは反対面に配置したことを特徴とする経皮治療用器具であり、人体の頭部部位を刺激し、集中力向上などの作用と併せて脱臭、消臭、滅菌の作用を有する。
【００１５】
本発明の請求項３に記載の発明は、前記請求項１、２において、積層部材のヘッドバンドに対する配置部位は、人体の前頭部位又は後頭部位又は側頭部位あるいは前記三者の中の複数の組み合わせであることを特徴とする経皮治療用器具であり、人体の頭部におけるツボの集中する部位を効果的に刺激する作用を有する。
【００１６】
本発明の請求項４に記載の発明は、前記請求項１、２において、積層部材のヘッドバンドに対する配置部位は、経絡の太陽、攅竹、陽白、風府のいずれか又は前記四者の中の複数の組み合せとすることを特徴とする経皮治療用器具であり、人体の頭部におけるツボを効果的に刺激する作用を有する。
【００１７】
本発明の請求項５に記載の発明は、Ｐ型又はＮ型または両者を混合した半導体層と、あるいはＰ型とＮ型の各半導体層を積層した半導体層と、前記半導体層の作用を反射させる金属微粒子による反射部材層とを積層して、足載せ台の足部当接面あるいは前記当接面の裏面に配置したことを特徴とする経皮治療用器具としたものである。足載せ台に載せた足部の筋肉を活性化し、血流を増加して鬱血を解消する作用を得られる。
【００１８】
本発明の請求項６に記載の発明は、Ｐ型又はＮ型または両者を混合した半導体層と、あるいはＰ型とＮ型の各半導体層を積層した半導体層と、前記半導体層の作用面に光触媒用酸化チタンなどの脱臭部材層を被着積層し、さらに前記半導体層の作用を反射させる金属微粒子による反射部材層を積層して、足載せ台の足部当接面あるいは前記当接面の裏面に配置したことを特徴とする経皮治療用器具としたものである。これによって足載せ台に載せた足部の筋肉を活性化し、血流を増加して鬱血を解消する作用を得られるとともに脱臭、消臭、滅菌作用も得ることができる。
【００１９】
本発明の請求項７に記載の発明は、前記請求項５、６に記載の経皮治療用器具において、足載せ台の足を当接させる面は、かまぼこ型に彎曲していることを特徴としたものである。これによって足載せ台に載せた足部の筋肉を活性化し、血流を増加して鬱血を解消する作用を得られるとともに脱臭、消臭作用も得ることができる。
【００２０】
本発明の請求項８に記載の発明は、前記請求項５、６に記載の経皮治療用器具において、足載せ台の足を当接させる面は、つま先側を高くした傾斜面であることを特徴としたものである。これによって足載せ台に載せた足部の筋肉を活性化し、血流を増加して鬱血を解消する作用を得られるとともに脱臭、消臭作用も得ることができる。
【００２１】
本発明の請求項９に記載の発明は、前記請求項５、６に記載の経皮治療用器具において、円筒面であることを特徴とするものである。これによって足載せ台に載せた足部の筋肉を活性化し、血流を増加して鬱血を解消する作用を得られるとともに脱臭、消臭作用も得ることができる。
【００２２】
本発明の請求項１０に記載の発明は、前記請求項５、６に記載の経皮治療用器具において、足載せ台には熱源を設け、足温器としたものであることを特徴とするものである。これによって足載せ台に載せた足部の筋肉を活性化し、血流を増加して鬱血を解消する作用を得られるとともに脱臭、消臭作用も得ることができる。
【００２３】
【実施の形態１】
図１は本発明を利用したヘッドバンド１の外観の説明図である。８は伸縮性布で形成したヘッドバンドの本体であり、支持部材と呼称する。例えばメリヤス編み等の技術で作られ、図５に例示したような状態で人体の頭部１００の前頭部から後頭部にかけて装着するようになっている。２は円形あるいは楕円形状の経皮治療部材層であり、前記したヘッドバンド本体、支持部材８の、人体頭部の左右の側頭部位にそれぞれ当接する位置に配置する。詳細は後述する。３は長方形状の経皮治療部材層であり、前記したヘッドバンド本体、支持部材８の、人体頭部の前額部位に当接する位置に配置する。詳細は後述する。４は円形あるいは楕円形状の経皮治療部材層であり、前記したヘッドバンド本体、支持部材８の、人体頭部の後頭部位に当接する位置に配置する。詳細は後述する。なお、これらの経皮治療部材層はヘッドバンド本体、支持部材８の布地の、人体頭部に接する面、あるいは逆の面のどちらへ配置してもよいが、図１の例では人体頭部に直接には接しない方の面に配置してある。
【００２４】
図２はヘッドバンド１の部分展開図である。ヘッドバンド本体、支持部材８の面に、側頭部位の左右一対の円形の経皮治療部材層２、前額部位の横長に長方形状の経皮治療部材層３が配置されている状態を説明している。
【００２５】
図６から図１３を用いて、前述した経皮治療部材層の構造を説明する。図６における例では、５は反射部材層、６はＰ型半導体層、７はＮ型半導体層、８は経皮治療部材層を配置する支持部材（本実施の形態１ではヘッドバンドの本体である）であり、これらを支持部材８の、図１に示したような、所定面、位置に所定の大きさ、形状で、Ｎ型半導体層７、Ｐ型半導体層６、反射部材層５の順に積層して構成する。それぞれについて説明すれば、半導体層６、７は、例えば、インク、塗料、接着剤等としての素材、例えば、キシレン、チクロレキサノン、メチルエチルケトン、トルエン等に、半導体のメッシュ１３０前後〜１００００前後のパウダーを混入させたものである。半導体としては、Ｎ型、またはＰ型を用いる。こうすることにより半導体層はある程度の伸縮性を有するものとなる。半導体層は、円形あるいは多角形状に、任意の形状に印刷したり、塗布したりすることによって支持部材の所望の位置に配置することができる。
【００２６】
反射部材層５は、熱硬化性樹脂に粘着材及びアルミ、金、銀、銅等の金属粉のうち１種あるいは数種を混入させたもので形成する。この反射部材層５によって、半導体層６、７の作用力を反射して、図６の場合矢印Ａ方向に作用させ、人体に向けた効率的なものとすることができる。
【００２７】
このようなヘッドバンド１を各経皮治療部材層が直接肌に触れない状態、即ち支持部材８側を人体頭部面に向けて着用することによって、反射部材層５によって、半導体層６，７の作用力を反射して、図６の場合矢印Ａ方向に作用させ各部位の経皮治療部材層が頭部の当接部位を刺激して、側頭部位の左右一対の経皮治療部材層２が眠気を覚まし、気力を集中させ、前額部位の長方形上の経皮治療部材層３が眼精疲労や頭痛を防ぎ、後頭部位の経皮治療部材層４も頭痛を防ぐ作用を行う。
【００２８】
図７における例では、５は反射部材層、６はＰ型半導体層、７はＮ型半導体層、８は経皮治療部材層を配置する支持部材（本実施の形態１ではヘッドバンドの本体である）であり、これらを支持部材８の所定位置の面に、所定の大きさ、形状で反射部材層５、Ｎ型半導体層７、Ｐ型半導体層６、の順に積層して構成する。
【００２９】
この図７の例では前記した図６のもとは異なり、支持部材８の人体に接する方の面に経皮治療部材層を配置してある。従って反射部材層５によって、半導体層６，７の作用力を反射して、図７の場合矢印Ｂ方向に作用させ、人体に向けた効率的なものとする。
【００３０】
このようなヘッドバンド１を人体頭部に着用することによって、各部位の経皮治療部材層により得られる作用は前記した図６のものと同様であるので記述を省略する。
【００３１】
図８における例では、９はＰ型半導体とＮ型半導体とを混合させたＰＮ型混合半導体層であり、支持部材８の所定位置の面に、ＰＮ型混合半導体層、反射部材層５の順に積層して構成する。各経皮治療部材層は直接人体に接しない方の面に配置してあるので、反射部材層５によって、半導体層９の作用力を反射して、図８の場合矢印Ａ方向に作用させ、人体に向けた効率的なものとすることができる。
このようなヘッドバンド１を人体頭部に着用することによって、各部位の経皮治療部材層により得られる作用は前記した図６のものと同様であるので記述を省力する。
【００３２】
図９における例では、９はＰ型半導体とＮ型半導体とを混合させたＰＮ型混合半導体層であり、支持部材８の所定位置の面に、反射部材層５、ＰＮ型混合半導体層９の順に積層して構成する。各経皮治療部材層は直接人体に接する方の面に配置してあるので、反射部材層５によって、半導体層９の作用力を反射して、図９の場合矢印Ｂ方向に作用させ、人体に向けた効率的なものとすることができる。このようなヘッドバンド１を人体頭部に着用することによって、各部位の経皮治療部材層により得られる作用は前記した図６のものと同様であるので記述を省略する。
【００３３】
図１０における例では、５は反射部材層、６はＰ型半導体層、７はＮ型半導体層、８は経皮治療部材層を配置する支持部材（本実施の形態１ではヘッドバンドの本体である）であり、又、１０は脱臭（消臭）部材層であって、この脱臭（消臭）部材層１０は、光触媒用酸化チタン層であり、元来、光触媒用酸化チタンは、光による有機化合物の酸化分解を引き起こし、滅菌、浄化、脱臭等の効果があり、水質浄化や大気浄化といった申途に用いられているが、太陽光をはじめ蛍光灯の光に含まれている微量な紫外線によっても充分な活性を得ることができ、脱臭、空気清浄、滅菌、防汚等に効果があるとされている。このような光触媒用酸化チタンを微粒子とし、これを半導体層と同様に、インク、塗料、接着剤等としての素剤、例えば、キシレン、チクロレキサン、メチルエチルケトン、トルエン等に、微粒子状の光導体用酸化チタンを混合させ、半導体層に積層するものである。支持部材８の面に、脱臭（消臭）部材層１０、Ｎ型半導体層７、Ｐ型半導体層６、反射部材層５の順に積層して経皮治療部材層を構成する。尚、脱臭（消臭）部材層１０には脱臭剤をメッシュ加工して利用しても良い。
【００３４】
各経皮治療部材層は直接人体に接しない方の面に配置してあるので、反射部材層５によって、Ｎ型半導体層７、Ｐ型半導体層６の作用力を図１０の場合矢印Ａ方向に反射し、人体に向けた効率的なものとし、又、脱臭（消臭）部材層１０によって滅菌、浄化、脱臭等の作用が得られる。このようなヘッドバンド１を人体頭部に着用することによって各部位の経皮治療部材層により得られる作用は、前記した図６のものに、脱臭（消臭）部材層１０によって滅菌、浄化、脱臭等の作用が付加されたほかは、図６のもと同様であるので記述を省略する。
【００３５】
図１１における例では、５は反射部材層、９はＰ型半導体とＮ型半導体とのＰＮ型半導体混合層、８は経皮治療部材層を配置する支持部材（本実施の形態１ではヘッドバンドの本体である）であり、又、１０は脱臭（消臭）部材層である。支持部材８の面に、脱臭（消臭）部材層１０、ＰＮ型半導体混合層９反射部材層５順に積層して経皮治療部材層を構成する。
【００３６】
各経皮治療部材層は直接人体に接しない方の面に配置してあるので、反射部材層５によって、ＰＮ型半導体混合層９の作用力を図１０の場合矢印Ａ方向に反射し、人体に向けた効率的なものとし、脱臭（消臭）部材層１０によって滅菌、浄化、脱臭等の作用が得られる。このようなヘッドバンド１を人体頭部に着用することによって、各部位の経皮治療部材層により得られる作用は前記した図６のものに、脱臭（消臭）部材層１０によって滅菌、浄化、脱臭等の作用が付加されたほかは図６のものと同様であるので記述を省略する。
【００３７】
図１２における例では、５は反射部材層、６はＰ型半導体層、７はＮ型半導体層、８は経皮治療部材層を配置する支持部材（本実施の形態１ではヘッドバンドの本体である）であり、又、１０は脱臭（消臭）部材層である。これらの各層を支持部材８、反射部材層５、Ｎ型半導体層７、Ｐ型半導体層６、脱臭（消臭）部材層１０の順に積層して構成する。
【００３８】
各経皮治療部材層は直接人体に接する方の面に配置してあるので、反射部材層５によって、Ｎ型半導体層７、Ｐ型半導体層６の作用力を矢印Ｂ方向に反射し、人体に向けた効率的なものとし、脱臭（消臭）部材層１０によって滅菌、浄化、脱臭等の作用が得られる。このようなヘッドバンド１を人体頭部に着用することによって、各部位の経皮治療部材層により得られる作用は前記した図６のものに、脱臭（消臭）部材層１０によて滅菌、浄化、脱臭等の作用が付加されたほかは図６のものと同様であるので記述を省略する。
【００３９】
図１３における例では、５は反射部材層、９はＰ型半導体層とＮ型半導体層とのＰＮ型半導体混合層、８は経皮治療部材層を配置する支持部材（本実施の形態１ではヘッドバンドの本体である）であり、又、１０は脱臭（消臭）部材層である。支持部材８の面に、反射部材層５、ＰＮ型半導体混合層９、脱臭（消臭）部材層１０の順に積層して経皮治療部材層を構成する。
【００４０】
各経皮治療部材層は直接人体に接する方の面に配置してあるので、反射部材層５によって、ＰＮ型半導体混合層９の作用力を矢印Ｂ方向に反射し、人体に向けた効率的なものとし、脱臭（消臭）部材層１０によって滅菌、浄化、脱臭等の作用が得られる。このようなヘッドバンド１を人体頭部に着用することによって、各部位の経皮治療部材層により得られる作用は前記した図６のものに、脱臭（消臭）部材層１０によって滅菌、浄化、脱臭等の作用が付加されたほかは図６のものと同様であるので記述を省略する。
【００４１】
（実施の形態２）
図３に人体頭部の経絡（人体のいわゆるツボ、経絡は周知である）の一部を説明してある。人体の頭部１００に対して、１００ａは左右側頭部の太陽、１００ｂは前額部下方の攅竹、１００ｃは前額部上方の陽白、そして１００ｄは後頭部の風府である。
【００４２】
図４はヘッドバンド１の部分展開図である。ヘッドバンド１の面の経絡の太陽１００ａに対応する位置に円形の経皮治療部材層２ｔが左右一対としてそれぞれ配置されている。又、経絡の攅竹１００ｂに対応する位置に円形の経皮治療部材層３ｓが左右一対としてそれぞれ配置され、陽白１００ｃに対応する位置に円形の経皮治療部材層３ｙが左右一対としてそれぞれ配置されている。そして図示はされていないが、後頭部の風府に対応する位置に経皮治療部材層２ｆが配置されている。
【００４３】
このようなヘッドバンド１を人体頭部に着用することによって、各部位の経皮治療部材層が頭部の当接部位を刺激して、太陽１００ａの部位の左右一対の経皮治療部材層２ｔが眠気を覚まし、気力を集中させ、攅竹１００ｂの部位の経皮治療部材層３ｓが眼精疲労を防ぎ、陽白１００ｃに対応する位置の経皮治療部材層３ｙが頭痛や眼精疲労を防ぎ、後頭部位の風府に対応する位置の経皮治療部材層２ｆも頭痛を防ぐ作用を行う。
【００４４】
ヘッドバンドに設ける各部位の経皮治療部材層の、積層構成は前記に詳細に説明した図６から図１３の構成のものと同様の技術が利用できるので、説明を省略する。このように各経皮治療部材層の位置を経絡の位置に対応させることによって、半導体治療の効力を高めることができる。
【００４５】
（実施の形態３）
図１４から図１６を用いて本発明の実施の形態３を説明をする。本実施の形態を略記すれば、前述した実施の形態１、２における支持部材８を、足載せ台としたものである。図１４は概観説明図であり、１４は足載せ台で、上面の足載せ面１４ｄは「かまぼこ」型に彎曲した弧面としてあり、椅子等に着座した人が足を載せるのに適した形状としてある。Ｌは足載せ台１４の長さで、この長さＬは両足が楽に載せられる長さとする。
【００４６】
図１５は足載せ台１４の断面図であり、足載せ面１４ｄの表面の弧面全長、また長さＬの全長にわたって経皮治療部材層１４ａを設ける。経皮治療部材層１４ａの積層構成は前記に詳細に説明した図６から図１３の構成のものと同様の技術が利用できるので、説明を省略する。
【００４７】
図１６は前記図１５とは別の足載せ台１４の断面図であり、この例では足載せ面１４ｄを形成する素材の板の裏面側に、その弧の長さ全長にわたり、また長さＬの全長にわたって経皮治療部材層１４ｂを設けてある。この場合は反射部材層の積層位置を、半導体の作用力が足側に向かうように設定することはもちろんである。経皮治療部材層１４ｂの積層構成は前記に詳細に説明した図６から図１３の構成のものと同様の技術が利用できるので、説明を省略する。足載せ台１４を構成する材料の板厚を透過して半導体の作用が行われてる。
【００４８】
このような足載せ台１４のいずれかを利用することによって、半導体層が人体の足の筋肉を活性化し、血流を増加して鬱血を解消して治療効果を発揮する作用に加えて、脱臭（消臭）部材層によって滅菌、清浄化、脱臭等の効果が得られ、治療のみでなく美容や健康の増進に大きな効果が得られるものとなる。
【００４９】
また、足載せ台１４に電熱手段等の熱源を設け、載せた足を暖めるようにすれば、温熱効果によって、治療効果が増幅され、治療を促進させる。
【００５０】
（実施の形態４）
図１７から図１８を用いて本発明の実施の形態４を説明する。本実施の形態を略記すれば、前述した実施の形態１、２における支持部材８を、足載せ台としたものである。図１７は概観説明図であり、１７は足載せ台で、上面の足載せ面１７ｄは基部１７ｃに対して傾斜した平面としてあり、椅子等に着座した人が足を載せるのに適した形状としてある。Ｌは足載せ台１７の長さで、この長さＬは両足がらくに載せられる長さとする。この足載せ面１７ｄの表面の全面、また長さＬの全長にわたって経皮治療部材層１７ａを設ける。経皮治療部材層１４ａの積層構成は前記に詳細に説明した図６から図１３の構成のものと同様の技術が利用できるので、説明を省略する。
【００５１】
図１８は図１７とは別の足載せ台１７の断面図であり、この例では足載せ面１７ｄの板厚の裏面側の全面、また長さＬの全長にわたって経皮治療部材層１７ｂを設ける。この場合は反射部材層の積層位置を、半導体の作用力が足側に向かうように設定することはもちろんである。経皮治療部材層１４ｂの積層構成は前記に詳細に説明した図６から図１３の構成のものと同様の技術が利用できるので、説明を省略する。
【００５２】
このような足載せ台１７のいずれかを利用することによって、半導体層が人体の足の筋肉を活性化し、血流を増加として鬱血を解消して治療効果を発揮する作用に加えて、脱臭（消臭）部材層によって滅菌、脱臭、清浄化等の効果が得られ、治療のみでなく美容や健康の増進に大きな効果が得られるものとなる。
【００５３】
また、足載せ台１７に電熱手段等の熱源を設け、載せた足を暖めるようにすれば、温熱効果によって、治療効果が増幅され、治療を促進させる。
【００５４】
（実施の形態５）
図１９から図２０を用いて本発明の実施の形態５を説明する。本実施の形態を略記すれば、前述した実施の形態１、２における支持部材８を、足載せ台としたものである。図１９は概観説明図であり、２０は足載せ台で、円筒状であり、上面の足載せ面２０ｄは円筒の表面としてあり、椅子等に着座した人が足を載せるのに適した形状である。Ｌは足載せ台２０の長さで、この長さＬは両足が楽に載せられる長さとする。
【００５５】
図２０は足載せ台２０の断面図であり、足載せ面２０ｄは円筒面の円周全体の１／２ないし２／３程度とし、この面全面、長さＬの全長にわたって経皮治療部材層２０ａを設ける。経皮治療部材層２０ａの積層構成は前記に詳細に説明した図６から図１３の構成のものと同様の技術が利用できるので、説明を省略する。
【００５６】
このような足載せ台２０のいずれかを利用することによって、半導体層が人体の足の筋肉を活性化し、血流を増加して鬱血を解消して治療効果を発揮する作用に加えて、脱臭（消臭）部材層によって滅菌、脱臭、清浄化等の効果が得られ、治療のみでなく美容や健康の増進に大きな効果が得られるものとなる。尚、図示説明は省略したが、足載せ台２０ｄの板厚の裏面側に経皮治療部材層を設けるようにしてもよい。この場合は反射部材層の積層位置を、半導体の作用力が足側に向かうように設定することはもちろんである。
【００５７】
また、足載せ台２０に電熱手段等の熱源を設け、載せた足を暖めるようにすれば、温熱効果によって、治療効果が増幅され、治療を促進させる。
【００５８】
（その他の実施の形態）
上記の実施の形態では足載せ台を例としたが、湯たんぽ、電気アンカの表面または裏側に経皮治療部材層を設けて実施することもできる。このようにすると熱源を備えているのでより効果が発揮されるものとなる。
【００５９】
なお、足載せ台に足を載せる場合、素足でもよいが、靴のままでも、スリッパ等を着用したままでも、経皮治療部材層の効果が得られる。
【００６０】
【発明の効果】
以上のように本発明の請求項１によれば、Ｐ型又はＮ型又は前記両者を混合した半導体層、あるいはＰ型とＮ型の各半導体層を積層した半導体層と、前記半導体層の作用を反射させる金属微粒子による反射部材層とを積層し、人体の頭部に装着するヘッドバンドの頭部当接面あるいは反対面に配置したので、半導体の作用が反射部材層によってより効率的に人体頭部に作用し、学習、意欲、思考等を担当する人体の頭部を刺激して集中力が向上する有利な効果が得られる。
【００６１】
本発明の請求項２によれば、Ｐ型又はＮ型又は前記両者を混合した半導体層、あるいはＰ型とＮ型の各半導体層を積層した半導体層と、前記半導体層の作用面に光触媒用酸化チタン等の脱臭部材層を被着積層し、さらに前記半導体層の作用を反射させる金属微粒子による反射部材層を積層し、人体の頭部に装着するヘッドバンドの頭部当接面あるいは反対面に配置したので、半導体の作用が反射部材層によってより効率的に人体頭部に作用し、学習、意欲、思考等を担当する人体の頭部を刺激して集中力が向上する有利な効果が得られる。
【００６２】
本発明の請求項３によれば、前記二つの請求項において、積層部材のヘッドバンドに対する配置部位は、人体の前頭部位又は後頭部位又は側頭部位あるいは前記三者の中の複数の組み合わせであることとしたので、半導体の作用が人体頭部に有効に作用する部分に集中し、学習、意欲、思考等を担当する人体の頭部を刺激して集中力が向上する有利な効果が得られる。
【００６３】
本発明の請求項４によれば、前記請求項１，２において、積層部材のヘッドバンドに対する配置部位は、経絡の太陽、攅竹、陽白、風府のいずれか又は前記四者の中の複数の組み合わせとすることとしたので、半導体の作用が人体頭部に有効に作用する部分に集中し、学習、意欲、思考等を担当する人体の頭部を刺激して集中力が向上する有利な効果が得られる。特に経絡の陽白、太陽は眼精疲労を緩和し、眼輪筋を刺激し、眼がすっきり、はっきりする。
【００６４】
本発明の請求項５によれば、Ｐ型又はＮ型又は両者を混合した半導体層と、あるいはＰ型とＮ型の各半導体層を積層した半導体層と、前記半導体層の作用を反射させる金属微粒子による反射部材層とを積層して、足載せ台の足部当接面あるいは前記当接面の裏面に配置したので、このような足載せ台を利用することによって、半導体層が人体の足の筋肉を活性化し、血流を増加して鬱血を解消して治療効果を発揮する有利な効果がある。
【００６５】
本発明の請求項６によれば、Ｐ型又はＮ型又は両者を混合した半導体層と、あるいはＰ型とＮ型の各半導体層を積層した半導体層と、前記半導体層の作用面に光触媒用酸化チタン等の脱臭部材層を被着積層し、さらに前記半導体層の作用を反射させる金属微粒子による反射部材層を積層して、足載せ台の足部当接面あるいは前記当接面の裏面に配置したので、半導体層が人体の足の筋肉を活性化し、血流を増加して鬱血を解消して治療効果を発揮する作用に加えて、脱臭（消臭）部材層によって滅菌、脱臭、清浄化等の効果が得られ、治療のみなく美容や健康の増進に有利な効果がえられる。
【００６６】
本発明の請求項７によれば、前記請求項５、６において、足載せ台の足を当接させる面は、かまぼこ型に彎曲しているように構成したので、足が載せやすい状態で半導体層が人体の足の筋肉を活性化し、血流を増加して鬱血を解消して治療効果を発揮する有利な効果が得られる。
【００６７】
本発明の請求項８によれば、前記請求項５、６において、足載せ台の足を当接させる面は、つま先側を高くした傾斜面であるように構成したので足が載せやすい状態で半導体層が人体の足の筋肉を活性化し、血流を増加して鬱血を解消して治療効果を発揮する有利な効果が得られる。
【００６８】
本発明の請求項９によれば、前記請求項５、６において、足載せ台の足を当接させる面は、円筒面であるように構成したので、足が載せやすく、しかも転動させることができるので、足で前後にこれを動かし、足をマッサージする状態で使用でき、半導体層が人体の足の筋肉を活性化し、血流を増加して鬱血を解消して治療効果を発揮する有利な効果が得られる。
【００６９】
本発明の請求項１０によれば、前記請求項５から９において、足載せ台には熱源を設け、足温器としたものであるので、温熱効果によって治療効果が増幅され、治療を促進させる有利な効果がある。
【図面の簡単な説明】
【図　１】本発明によるヘッドバンドの概観説明斜視図である。
【図　２】本発明によるヘッドバンドの部分展開図である。
【図　３】人体頭部の経絡の説明図である。
【図　４】本発明によるヘッドバンドの部分展開図である。
【図　５】人体頭部にヘッドバンドを装着した説明図である。
【図　６】本発明の経皮治療部材層の構成を説明する断面図である。
【図　７】本発明の経皮治療部材層の構成を説明する断面図である。
【図　８】本発明の経皮治療部材層の構成を説明する断面図である。
【図　９】本発明の経皮治療部材層の構成を説明する断面図である。
【図１０】本発明の経皮治療部材層の構成を説明する断面図である。
【図１１】本発明の経皮治療部材層の構成を説明する断面図である。
【図１２】本発明の経皮治療部材層の構成を説明する断面図である。
【図１３】本発明の経皮治療部材層の構成を説明する断面図である。
【図１４】本発明の足載せ台の概観説明斜視図である。
【図１５】図１４の断面図である。
【図１６】本発明の図１４とは別の例の足載せ台の断面図である。
【図１７】本発明の足載せ台の概観説明斜視図である。
【図１８】図１７とは別の例の足載せ台の断面図である。
【図１９】本発明の足載せ台の概観説明斜視図である。
【図２０】図１９の断面図である。
【符号の説明】
１　　　　　　　　ヘッドバンド
２　　　　　　　　経皮治療部材層
３　　　　　　　　経皮治療部材層
４　　　　　　　　経皮治療部材層
５　　　　　　　　反射部材層
６　　　　　　　　Ｐ型半導体層
７　　　　　　　　Ｎ型半導体層
８　　　　　　　　支持部材層
９　　　　　　　　ＰＮ型半導体混合層
１０　　　　　　　脱臭（消臭）部材層
１４　　　　　　　足載せ台
１７　　　　　　　足載せ台
２０　　　　　　　足載せ台
【図１】
2004081775.tif 000003
【図２】
2004081775.tif 000004
【図３】
2004081775.tif 000005
【図４】
2004081775.tif 000006
【図５】
2004081775.tif 000007
【図６】
2004081775.tif 000008
【図７】
2004081775.tif 000009
【図８】
2004081775.tif 000010
【図９】
2004081775.tif 000011
【図１０】
2004081775.tif 000012
【図１１】
2004081775.tif 000013
【図１２】
2004081775.tif 000014
【図１３】
2004081775.tif 000015
【図１４】
2004081775.tif 000016
【図１５】
2004081775.tif 000017
【図１６】
2004081775.tif 000018
【図１７】
2004081775.tif 000019
【図１８】
2004081775.tif 000020
【図１９】
2004081775.tif 000021
【図２０】
2004081775.tif 000022